(57)【要約】      （修正有）【課題】ベイトリールの引張ナットに設けられるクリック音発生装置において、部品減少による生産力の増加及び組立時間の短縮、さらにはクリック音発生の極大化を実現できるものを提供する。【解決手段】正・逆回転し、スプール軸の回転速度を調節する引張ナット５と、引張ナットに内設されてクリック音を発生するクリック音発生装置１００とから構成される通常のベイトリールにおいて、クリック音発生装置は、(1)引張ナット５に内設されて正・逆回転し、内周面に凹凸部を備えるクリックプレート６０と、(2)前記凹凸部と接触される係止片を有し、該係止片がクリックプレート６０の作動により凹凸部と擦れることによりクリック音を発生するクリックバネと、(3)前記クリックバネが嵌め込まれる挿入溝を有し前記クリックバネを支持するクリックホルダとから構成されるベイトリールのクリック音発生装置を提供する。【選択図】図２
0003107140.tif 000002
【実用新案登録請求の範囲】
【請求項１】
正・逆回転し、スプール軸の回転速度を調節する引張ナットと、前記引張ナットに内設されてクリック音を発生するクリック音発生装置とから構成されるベイトリールにおいて、
前記クリック音発生装置は、
前記引張ナットに内設されて正・逆回転し、内周面に凹凸部を備えるクリックプレートと、
前記凹凸部と接触する係止片を有し、該係止片が前記クリックプレートの作動によって凹凸部と擦れることによりクリック音を発生するクリックバネと、
前記クリックバネが嵌め込まれる挿入溝を有し前記クリックバネを支持するクリックホルダとから構成されることを特徴とするベイトリールのクリック音発生装置。
【請求項２】
前記引張ナットとクリックホルダとの間にはリテーナが嵌め込まれる請求項１記載のベイトリールのクリック音発生装置。
【請求項３】
前記クリックホルダの一側下端には、前記クリックバネの係止片を貫通させるための開口部が形成される請求項１または請求項２記載のベイトリールのクリック音発生装置。
【請求項４】
前記引張ナットの底面には、前記クリックプレートの下端に形成されているボスが嵌め込まれるための孔が形成された請求項３記載のベイトリールのクリック音発生装置。
【考案の詳細な説明】
【技術分野】
【０００１】
本考案はベイトリール（ベイトキャスティング用両軸受けタイプのリール）のクリック音発生装置に関する。特には、摩擦力でスプール軸の回転速度を調節してキャスティング距離を調節するための、引張ナットに設けられるクリック音発生装置の構造について改善することにより、部品減少による生産性の増加を実現すると共にクリック音の発生を極大化できるベイトリールのクリック音発生装置に関するものである。
【背景技術】
【０００２】
通常、ベイトリールには釣り糸がスプールから過剰に引き出されて縺（もつ）れる現象を防ぐために遠心ブレーキ装置が設置されているが、この遠心ブレーキ装置はブレーキ作用力に限界がある。したがって、ベイトリールの一側下端に制御ノブ（以下、“引張ナット”という）を設け、スプール軸に制動を加えてスプールの回転速度を制御することが行われている。しかし、このような従来の構造では、スプール軸について調節された量を正確に知ることができないという問題点があった。
【０００３】
一方、このような問題点を解決するための先行技術は、本考案者により１９９９年９月２日付けで出願された韓国特許出願番号第１９９９-０３７９８２号の＜釣り用両軸受形リールのブレーキ制御ノブの音発生＞に開示されている。
【０００４】
すなわち、上記先行技術においては、引張ナットの内部にバネの張力でクリックピンがクリックプレートの溝に挟まれるように構成し、引張ナットを調節するときに一定の音を発生させることにより、スプール軸の回転速度を正確に調節可能なように構成した。
【０００５】
上記先行技術の構造は、使用者にとって、スプール軸の回転速度を精密に調節して最適のキャスティング作業が図られるよう構成したものである。しかし、このためには複雑な構造でもって構成されるので、不要な部品による生産性の低下に伴う組立時間の増加と、組立の難しさを引き起こす原因となり、また、作動時の音識別が容易でない。
【考案の開示】
【考案が解決しようとする課題】
【０００６】
したがって上記の問題点を解決するための本考案の目的は、引張ナットに設けられるクリック音発生装置の構造を改善することにより、部品減少による生産性の向上と組立時間の短縮を実現し、さらにはクリック音の発生を極大化できるベイトリールのクリック音発生装置を提供することにある。
【０００７】
また本考案の目的は、上記クリック音発生装置の構造を改善してスプール軸の回転速度をより精密に微細調整可能なようにして一層優れたキャスティング作用を図るベイトリールのクリック音発生装置を提供することにある。
【課題を解決するための手段】
【０００８】
上記の目的を達成するために本考案は、正・逆回転し、スプール軸の回転速度を調節する引張ナットと、前記引張ナットに内設されてクリック音を発生するクリック音発生装置とから構成される通常のベイトリールにおいて、前記クリック音発生装置は、(1)前記引張ナットに内設されて正・逆回転し、内周面に凹凸部を備えるクリックプレートと、(2)前記凹凸部と接触される係止片を有し、該係止片が前記クリックプレートの作動により凹凸部と摩擦されることによりクリック音を発生するクリックバネと、(3)前記クリックバネが嵌められるための挿入溝を有し、前記クリックバネを支持するクリックホルダとから構成されることを特徴とするベイトリールのクリック音発生装置を提供する。
【考案の効果】
【０００９】
本考案によると、引張ナットに設けられるクリック音発生装置の構造を改善することで、部品の減少による生産性の向上及び組立時間の短縮と共にクリック音発生の極大化を実現できる。
【００１０】
また、凹凸部の個数を増加して引張ナットの１回転によるクリック音の発生回数を増加することにより、スプール軸の回転速度をより精密に微細に調整することができる効果がある。さらに、凹凸部の深さを一定の深さ以上に形成して、凹凸部と係止片との摩擦時に、より大きく、冴（さ）えたクリック音を発生させる効果がある。
【考案を実施するための最良の形態】
【００１１】
以下、本考案の望ましい実施形態を、添付の図面を参照して詳細に説明する。下記の説明では、本考案による動作の理解のために必要な部分のみが説明され、それ以外の部分において本考案の要旨を不明にする恐れのある説明については省略する。
【００１２】
図１及び図２を参照すれば、釣り用リールの一種であるベイトリール２００は、釣り糸が巻き取られるスプール８０と、このスプール８０に内設されてスプール８０を正・逆回転させるスプール軸７０とから構成され、このように構成されたベイトリール２００の一側下端には円筒形の金属７５が突出されて付着されており、この金属円筒７５には引張ナット５がネジ形式で締結されている。この引張ナット５は正・逆回転し、中央部に設けられた引張ワッシャ４０及びワッシャ４５を介してスプール軸７０を締め付けることにより、スプール軸７０に制動を加えて回転速度を調節するようになる。すなわち、引張ナット５の作動でスプール軸７０を制動することで、釣りの際にキャスティング距離を調節する。このように考案されたベイトリール２００は、既に公知の技術であるため、その詳細な説明は省略する。なお、これに関連した詳細構成は、本考案者により出願された韓国特許出願第１９９９-０３７９８２号に開示されている。
【００１３】
一方、引張ナット５の内部には、本考案で具現しようとするクリック音発生装置１００が設けられる。このようなクリック音発生装置１００の詳細構成について、図２乃至図４を参照して、より詳細に説明する。
【００１４】
まず、引張ナット５にはクリックプレート６０が内設される。ここで、クリックプレート６０の下端にはボス６０ｂが形成されており、このボス６０ｂは引張ナット５の底面に形成されている孔５ａに挿入されることにより、クリックプレート６０を引張ナット５に固定設置することが可能になる。また、クリックプレート６０の内周面にはギア形状をなすように多数の凹凸部６０ａが形成されており、この凹凸部６０ａには後述するクリックバネ６５の係止片６５ａが接触されて摩擦によるクリック音を発生させるようになる。ここで、凹凸部６０ａの個数は多様に設定可能であるが、本考案では凹凸部６０ａの個数が２４個以上になるように成形するのが望ましい。これは、引張ナット５の１回転当たり２４回のクリック音を発生させてキャスティング距離の調整のためのスプール軸７０の回転速度をより精密に微細調整できるようにするためである。
【００１５】
一方、クリックプレート６０の上面側にはクリックホルダ２５が設けられる。このクリックホルダ２５は、クリック音を発生する手段であるクリックバネ６５を支持する機能を遂行する。すなわち、クリックバネ６５は、クリックホルダ２５の下端内周面に形成されている挿入溝２５ｃに嵌め込まれることにより固定設置される。このとき、挿入溝２５ｃの一端には開口部２５ｂが形成されており、この開口部２５ｂには挿入溝２５ｃに挿入されているクリックバネ６５の係止片６５ａが貫通するようになる。また、クリックホルダ２５の外周面には、一定間隔をなして多数の回転防止突起２５ａが形成されている。この回転防止突起２５ａが前述した金属円筒７５の回転防止溝７５ａに嵌め込まれることにより、クリックホルダ２５は、引張ナット５の回転の影響を受けず、常に固定した状態を維持するようになる。これにより、クリックホルダ２５に挿入されているクリックバネ６５も固定されて拘束された状態を維持するようになる。
【００１６】
一方、引張ナット５とクリックホルダ２５との間には間隔維持手段であるリテーナ３５が嵌め込まれ、このリテーナ３５は引張ナット５とクリックホルダ２５を互いに拘束して一定間隔を維持させる機能を遂行するようになる。
【００１７】
一方、クリックバネ６５は言及したように凹凸部６５ａとの摩擦によりクリック音を発生する手段であって、一端には係止片６５ａが一体に突出形成されるように構成され、この係止片６５ａは前述したクリックプレート６０の内周面に形成されている凹凸部６０ａと接触するようになる。すなわち、このようなクリックバネの係止片６５ａはクリックプレート６０の正、逆回転により凹凸部６０ａと摩擦するようになり、このように凹凸部６０ａと係止片６５ａとの摩擦の過程で一定のクリック音を発生することとなる。
【００１８】
未説明の参照番号５０は、クリックホルダ２５中に嵌め込まれてスプール軸７０が嵌め込まれるボール軸受を示す。参照番号５５は、該ボール軸受５０との間での間隔維持手段であるリテーナを示す。
【００１９】
以下、上記のように構成された本考案のベイトリールのクリック音発生装置の作動状態を図５Ａ及び図５Ｂを参照して説明する。
【００２０】
まず、スプール軸７０の回転速度を調節するために引張ナット５を回転させると、引張ナット５の底面に固定されているクリックプレート６０が回転するようになり、これによりクリックプレート６０の内周面に形成されている凹凸部６０ａとクリックバネ６５に形成されている係止片６５ａが摩擦するようになる。
【００２１】
このとき、クリックバネ６５は前述したように金属円筒７５に固定されているクリックホルダ２５に支持されることにより、回転する凹凸部６０ａと異なり、固定した状態を維持するようになる。すなわち、クリックホルダ２５に支持されて固定した状態を維持するクリックバネ６５の係止片６５ａと、引張ナット５によって回転するクリックプレート６０の凹凸部６０ａが相互接触された状態で摩擦することとなる。このように係止片６５ａと凹凸部６０ａとの摩擦の過程で一定のクリック音を発生するようになる。
【００２２】
上述したようにクリック音発生装置１００の構造を改善するならば、部品数の減少による作業性の向上と組立時間の短縮とにより生産性が大幅に向上する。また、係止片６５ａと摩擦してクリック音を発生させる凹凸部６０ａの個数を増加することにより、引張ナット５の１回転によるクリック音の発生回数を増加して、キャスティング距離の調整のためのスプール軸７０の回転速度をより精密に微細調整することができる。また、凹凸部６０ａの凹凸深さを一定の深さ以上に形成することにより、凹凸部６０ａと係止片６５ａとの摩擦時に、より大きく、冴（さ）えたクリック音を発生させることができる。
【図面の簡単な説明】
【００２３】
【図１】本考案によるクリック音発生装置が設けられるベイトリールの全体構成を示す図。
【図２】図１によるクリック音発生装置の組立構成を示す図。
【図３】図２によるクリック音発生装置の構成を分解して示す図。
【図４】クリック音発生装置の構成を分解して底面側から示す図。
【図５Ａ】本考案によるクリック音発生装置の作動状態を順次に示す図（１）。
【図５Ｂ】本考案によるクリック音発生装置の作動状態を順次に示す図（２）。
【符号の説明】
【００２４】
５：引張ナット                    ２５：クリックホルダ 
３５、５５：リテーナ              ６０：クリックプレート 
６０ａ：凹凸部                    ６５：クリックバネ 
６５ａ：係止片                    ７０：スプール軸 
７５：金属円筒                    ８０：スプール 
１００：クリック音発生装置        ２００:ベイトリール 
【図１】
0003107140.tif 000003
【図２】
0003107140.tif 000004
【図３】
0003107140.tif 000005
【図４】
0003107140.tif 000006
【図５Ａ】
0003107140.tif 000007
【図５Ｂ】
0003107140.tif 000008